(57)【要約】  本明細書中に提供されるのは、端部と端部とを繋げて構成された軸方向メッシュキャリッジを含む連続的な圧縮可能なメッシュ構造体を含む、体腔又は動脈瘤内に植え込むための閉塞デバイスであって、各キャリッジの各端部は、連続的なメッシュ構造体の挟持点である、閉塞デバイスである。また、本明細書中に提供されるのは、本明細書中に開示される閉塞デバイスと、その送出のための手段と、を含むキットである。閉塞デバイスの製造及び使用方法もまた開示される。
2018538064.tif 000002
【特許請求の範囲】
【請求項１】
体腔又は動脈瘤内に植え込むための閉塞デバイスであって、
端部と端部とを繋げて構成された軸方向メッシュキャリッジを含む連続的な圧縮可能なメッシュ構造体を含み、各キャリッジの各端部は、前記連続的なメッシュ構造体の挟持点である、閉塞デバイス。
【請求項２】
マーカーが少なくとも１つの挟持点を囲み覆っている、請求項１に記載の閉塞デバイス。
【請求項３】
前記マーカーは放射線不透過性である、請求項２に記載の閉塞デバイス。
【請求項４】
軸方向キャリッジの数は（ｎ）に等しく、（ｎ）は、２つの軸方向キャリッジ、３つの軸方向キャリッジ、４つの軸方向キャリッジ、及び５つの軸方向キャリッジからなる群より選択される、請求項１に記載の閉塞デバイス。
【請求項５】
少なくとも１つの軸方向キャリッジは、１つの内部同軸メッシュキャリッジ又は複数の内部同軸メッシュキャリッジを含む、請求項１に記載の閉塞デバイス。
【請求項６】
前記複数の内部同軸メッシュキャリッジは、２つの内部同軸メッシュキャリッジ又は３つの内部同軸メッシュキャリッジである、請求項５に記載の閉塞デバイス。
【請求項７】
前記１つの内部同軸メッシュキャリッジ又は前記複数の内部同軸メッシュキャリッジは、その外部軸方向キャリッジとは異なる材料である、請求項５に記載の閉塞デバイス。
【請求項８】
前記１つの内部同軸メッシュキャリッジ又は前記複数の内部同軸メッシュキャリッジは、その外部軸方向キャリッジとは異なるメッシュ密度である、請求項５に記載の閉塞デバイス。
【請求項９】
前記連続的なメッシュ構造体は留置形状に拡張して前記体腔又は動脈瘤を充填し、前記留置形状は、各キャリッジの軸方向長さ（ｘ）を遊離ガス中におけるその軸方向長さの約５％〜約５０％に圧縮する、請求項１に記載の閉塞デバイス。
【請求項１０】
前記軸方向キャリッジは異なる大きさである、請求項１に記載の閉塞デバイス。
【請求項１１】
２つの軸方向キャリッジを含み、前記２つの軸方向キャリッジは遠位軸方向キャリッジと近位軸方向キャリッジとを含み、前記遠位軸方向キャリッジは前記近位軸方向キャリッジよりも大きな直径を有する、請求項１に記載の閉塞デバイス。
【請求項１２】
体腔又は動脈瘤の処置及び／又は改善用のキットであって、
ａ．端部と端部とを繋げて構成された軸方向メッシュキャリッジを含む連続的な圧縮可能なメッシュ構造体を含む、体腔又は動脈瘤内に植え込むための閉塞デバイスであって、各キャリッジの各端部は、前記連続的なメッシュ構造体の挟持点である、閉塞デバイスと、
ｂ．前記閉塞デバイスに対応する送出システム又は離脱システムと、
を含む、キット。
【請求項１３】
前記送出システムは、マイクロカテーテル、カテーテル、ガイドワイヤ、又はプッシャワイヤである、請求項１２に記載のキット。
【請求項１４】
前記離脱システムは電解離脱システムである、請求項１２に記載のキット。
【請求項１５】
患者の体腔又は動脈瘤を処置する又は改善するための方法であって、
ａ．端部と端部とを繋げて構成された軸方向メッシュキャリッジを含む連続的な圧縮可能なメッシュ構造体を含み、各キャリッジの各端部は挟持点である閉塞デバイスを体腔又は動脈瘤に送出することと、
ｂ．前記動脈瘤内に前記閉塞デバイスを留置し、それにより前記患者の前記動脈瘤を処置する又は改善することと、
を含む、方法。
【請求項１６】
体腔又は動脈瘤内に植え込むための閉塞デバイスであって、軸方向メッシュキャリッジを含む圧縮可能な連続的なメッシュ構造体を含み、前記キャリッジの各端部は、前記連続的なメッシュ構造体の挟持点であり、前記キャリッジは内部同軸メッシュキャリッジを含む、閉塞デバイス。
【請求項１７】
マーカーが少なくとも１つの挟持点を囲み覆っている、請求項１６に記載の閉塞デバイス。
【請求項１８】
前記マーカーは放射線不透過性である、請求項１７に記載の閉塞デバイス。
【請求項１９】
前記内部同軸メッシュキャリッジは、その外部軸方向キャリッジとは異なる材料である、請求項１６に記載の閉塞デバイス。
【請求項２０】
前記内部同軸メッシュキャリッジは、その外部軸方向キャリッジとは異なるメッシュ密度である、請求項１６に記載の閉塞デバイス。
【発明の詳細な説明】
【技術分野】
【０００１】
関連出願
本明細書中及び上記の参照出願で引用したすべての文書及び参照文献は参照により本明細書中に援用される。
【０００２】
本明細書中に開示される閉塞デバイスは、全般的に、閉塞デバイス及び／又は閉塞デバイスシステム及び／又は植え込み型閉塞デバイスの分野、並びに血管の閉塞並びに／又は動脈瘤の処置及び／又は改善のための、並びに／又は例えば、末梢動脈若しくは静脈の病状及び／若しくは処置のために血管閉塞を必要とする任意の関連の病状の処置及び／又は改善における末梢血管塞栓術（当技術分野で周知のプロセスであり、特定の血管部位の遠位側における血流停止を伴うことが知られている）のための、閉塞デバイス及び／又は閉塞デバイスシステム及び／又は植え込み型閉塞デバイスの使用に関する。
【背景技術】
【０００３】
動脈瘤の処置及び／又は改善のための、改良された閉塞デバイス及び／又はシステムの開発に対する大きな需要がある。この見解は、現在の動脈瘤末梢血管塞栓術処置分野における現在の閉塞デバイス及び／又はシステムの豊富さ及び広範さにより支持されている。しかしながら、特に神経血管系動脈瘤の動脈瘤処置及び／又は改善を、血行静止の導入のためにより大きな血流阻止及び区画化を達成するように設計された並びに／又はより大きな及び／若しくはより不規則な形状の動脈瘤を閉塞するように設計された留置可能な材料を含む閉塞デバイスにより提供することに対する未対処の需要が依然として存在する。
【０００４】
動脈瘤は動脈の拡張部が血圧により薄く伸ばされると形成することは周知である。動脈の脆弱化した部分は、漏出及び／又は破裂の危険性がある隆起又は球状領域を形成する。神経血管系動脈瘤が破裂すると、脳を取り囲む間隙であるくも膜下腔への出血を引き起こし、くも膜下出血の原因となる。破裂神経血管系動脈瘤によるくも膜下出血は、出血性脳卒中、脳損傷及び死に至る可能性がある。神経血管系動脈瘤を持つ全患者の約２５パーセントがくも膜下出血に罹患する。神経血管系動脈瘤は人口の２〜５パーセントに発症し、より一般的には、男性よりも女性に発症する。現在米国に在住の１８００万人もが一生のうちに神経血管系動脈瘤を発症すると推定されている。毎年、米国内のくも膜下出血の発症数は３０，０００人を超えている。これら患者の１０〜１５パーセントが病院に到着する前に死亡しており、５０パーセント超が破裂後最初の３０日以内に死亡している。助かった人のうち、約半数が何らかの永久的な神経障害を患う。
【０００５】
喫煙、高血圧、外傷性頭部外傷、アルコール乱用、ホルモン不妊法の使用、脳動脈瘤の家族歴、並びにエーラースダンロス症候群（ＥＤＳ）、多発性嚢胞腎疾患及びマルファン症候群などの他の遺伝性疾患が、神経血管系動脈瘤の一因となっている可能性がある。
【０００６】
大部分の未破裂動脈瘤は無症候性である。未破裂動脈瘤を持つ人の一部は、以下の症状、即ち、周辺視障害、思考又は処理障害、会話困難、知覚障害、態度の急な変化、平衡及び協調の喪失、集中力低下、短期記憶困難及び疲労、のいくつか又はすべてを経験する。破裂神経血管系動脈瘤の症状としては、悪心及び嘔吐、頚部硬直又は頚部痛、霧視又は複視、眼の上及び奥の痛み、瞳孔散大、光過敏、並びに感覚の喪失が挙げられる。時として「人生最悪の頭痛」と表現する患者は、破裂神経血管系動脈瘤の症状の１つを経験している。
【０００７】
ほとんどの動脈瘤は破裂が起こるまで発見されないままである。しかしながら、動脈瘤
は、日常的な健康診断又は他の健康問題の診断手順の最中に発見される場合がある。破裂脳動脈瘤の診断は、一般に、くも膜下出血の徴候をＣＴスキャン（コンピュータ断層撮影法）で発見することにより行われる。ＣＴスキャンが陰性ではあるものの破裂動脈瘤がなお疑われる場合、脳及び脊髄を取り囲む脳脊髄液（ＣＳＦ）中の血液を検出するために、腰椎穿刺が実施される。
【０００８】
神経放射線科医は、動脈瘤の正確な位置、大きさ及び形状を特定するために、脳血管造影法又は断層血管造影法のいずれかを使用する。従来の方法である脳血管造影法には、（通常、下肢の）動脈にカテーテルを導入し、それを体の血管内において、動脈瘤に関与する動脈まで進めることを含む。造影剤と呼ばれる特殊な色素を患者の動脈内に注入し、その分布をＸ線投影で示す。この方法では、重なった構造又は攣縮が原因で一部の動脈瘤を検出しない場合がある。
【０００９】
コンピュータ断層血管造影法（ＣＴＡ）は、従来の方法の代替となるものであり、動脈カテーテル法を要することなく実施され得る。この検査では、通常のＣＴスキャンに静脈内への造影剤色素の注入を組み合わせる。色素が静脈内に注入されると色素は脳動脈へと移動し、ＣＴスキャンを用いて像が形成される。これら像は、血液が脳動脈にどのように流れ込むかを正確に示す。新たな診断様式は、伝統的及び従来的両方の診断的研究を低侵襲性の画像化により補完するものと見込まれ、動脈瘤の病状に対するより正確な３次元の解剖学的情報を提供する可能性がある。より良好な画像化は、向上した低侵襲治療の発展との組み合わせにおいて、医師がますます、より多くの無症状の動脈瘤を、問題が生じる前に検出し、処置することが可能になる。
【００１０】
動脈瘤を処置するいくつかの方法が試みられてきており、成功の程度は様々であった。例えば、開頭術は、動脈瘤が血管外で特定及び処置される手技である。この種の手技は大きな欠点を有する。例えば、動脈瘤に到達するために外科医が様々な組織を切断しなければならないことによって、患者は動脈瘤の領域に多大な外傷を被る。脳動脈瘤を血管外で処置するには、例えば、外科医は、一般に、患者の頭蓋の一部を取り外さなければならず、また、動脈瘤に到達するために脳組織を損傷しなければならない。このため、手術のせいで患者がてんかんを発症する可能性がある。
【００１１】
動脈瘤の処置に使用される他の手法は血管内で実施される。このような手法には、一般に、動脈瘤の嚢内に塊を形成しようとすることを含む。一般に、動脈瘤へのアクセスにはマイクロカテーテルが使用される。マイクロカテーテルの遠位先端部は動脈瘤の嚢内に配置され、マイクロカテーテルを用いて、塞栓材料を動脈瘤の嚢内に注入する。塞栓材料には、例えば、離脱式コイル、又は液体ポリマーなどの塞栓剤を含む。これら種類の塞栓材料の注入には欠点があり、そのほとんどは、動脈瘤から親動脈への塞栓材料の逸脱に関連するものである。これは、親動脈の永久的且つ不可逆的な閉塞の原因となり得る。
【００１２】
例えば、十分に画定された頚部領域を有しない動脈瘤を、離脱式コイルを用いて閉塞する場合、離脱式コイルは動脈瘤の嚢から親動脈へと逸脱する可能性がある。更に、離脱式コイルが留置されたときに動脈瘤の嚢がどれほど充満しているかを正確に計測することは困難な場合がある。このため、動脈瘤に過剰充填するリスクがあり、この場合もまた、離脱式コイルは親動脈内に流出する。
【００１３】
離脱式コイルの別の欠点には、経時的なコイルの圧密化を含む。動脈瘤の充填後、コイルの間に空間が残る。循環による継続的な血行力学的力がコイルの塊を圧密化するように作用し、動脈瘤頚部に空洞が生じる。このため、動脈瘤が再開通する可能性がある。
【００１４】
塞栓剤の逸脱も問題である。例えば、液体ポリマーが動脈瘤の嚢内に注入される場合、
系の血行力学により、液体ポリマーは動脈瘤の嚢から逸脱する可能性がある。これもまた、親血管の不可逆的な閉塞につながる可能性がある。
【００１５】
塞栓材料の親血管への逸脱に関連する欠点に対処するための手法が試みられてきた。このような手法は、限定されるものではないが、一時的血流停止及び親血管閉塞であり、一般に、動脈瘤の嚢内に血栓の塊が形成されるまで親血管への血流が生じないように、親血管を動脈瘤の近位側で一時的に閉塞することを含む。理論では、これは、塞栓材料が動脈瘤嚢から逸脱する傾向を低下させる。しかしながら、血栓の塊は血液の通常の溶解により溶け得ることが判明している。また、ある場合においては、患者のリスク／利益の観点から、親血管を一時的であっても閉塞することは非常に望ましくない。このため、この手法は、治療オプションとして利用できない場合がある。加えて、現在では、親血管を閉塞してもすべての塞栓材料の親血管への逸脱を防ぎ得ないことは知られている。
【００１６】
動脈瘤を処置するための別の血管内手法には、マイクロカテーテルを用いて離脱式バルーンを動脈瘤の嚢内に挿入することを含む。離脱式バルーンは、その後、生理食塩水及び／又は造影剤流体を用いて拡張させる。バルーンは、その後、マイクロカテーテルから離脱されて動脈瘤の嚢内に残され、動脈瘤の嚢を充填することが試みられる。しかしながら、離脱式バルーンにも欠点があることから、この手法は、コイルの留置という現在の手法又は他の種類の閉塞デバイスにほとんど取って代わられている。例えば、離脱式バルーンは、拡張させたときに、一般に、動脈瘤嚢の内部構成に適合しない。その代わり、離脱式バルーンでは、動脈瘤嚢を離脱式バルーンの外部表面に適合させることが必要である。このため、離脱式バルーンが動脈瘤の嚢を破裂させるリスクが高まる。更に、離脱式バルーンが破裂し、動脈瘤から逸脱するおそれがある。
【００１７】
動脈瘤を処置するための別の血管内手法には、２つの拡張可能なローブ及びウエスト、又は拡張可能な本体部分、首部及び基部を有する閉塞デバイスを含む。
【００１８】
動脈瘤を処置するための更に別の血管内手法には、動脈瘤の嚢内の空間内を充填する及び／又は径方向に拡張するように設計された本体部分を有する嚢内植え込み用の閉塞デバイスを含む。
【００１９】
更に別の血管内手法は、参照によって全体が本明細書に組み込まれる共有の係属中の出願である米国特許出願第１４／６９９，１８８号明細書に開示されている。
【００２０】
現在の閉塞デバイスの多くは、例えば、広及び狭頸動脈瘤、側壁型及び分岐型動脈瘤を含む、大きな動脈瘤又は不規則な形状及び大きさの動脈瘤の処置のためには設計されていない。現在の閉塞デバイスの多くは、編み込まれた又は織られたメッシュ設計で構成されており、このような設計は、大きく且つ不規則な形状の動脈瘤用に再構成した場合、一般に、使用する材料が多すぎる。これにより、送出カテーテル又は他の送出ルーメンの壁に過剰な摩擦をかけることなく送出及び留置されるほど十分に小さい、制限された薄型の送出構成へとつぶれることが困難になる。これらデバイスの単に嵩高さによって、デバイスは頭蓋内送出にとって不便又は不適切となる。
【００２１】
したがって、本明細書中に開示される閉塞デバイスは、超圧密化可能な連続的なメッシュベースの完全に回収可能な留置可能材料の使用によって、特に大きく且つ不規則なサイズの神経血管動脈瘤のための、動脈瘤及び／又は体腔処置及び／又は改善を提供することから、本明細書中に開示される閉塞デバイスは、血管閉塞デバイスの分野における革新的改良及びいくつかの利点を提供する。本明細書中に開示される閉塞デバイスは、メッシュベースの留置可能な連続的構造体を含む。この連続的構造体は、端部と端部とを繋げて構成され、連続的なメッシュ構造体のいずれの端部にも挟持点を画定する圧縮可能な軸方向
メッシュキャリッジを有する。この新規な設計は、動脈瘤又は体腔内のより大きな血流阻止及び区画化を実現し、特により大きく且つより不規則な形状の動脈瘤を閉塞するための血行静止の増大をもたらす。
【００２２】
本明細書中及び参照した特許文献に引用されたすべての文書及び参照文献は参照により本明細書中に援用される。
【発明の概要】
【課題を解決するための手段】
【００２３】
本発明者は、動脈瘤嚢内に留置し、血流阻止の生成及び最終的な血行静止によって動脈瘤処置及び／又は改善をもたらすための動脈瘤内閉塞デバイスを設計した。閉塞デバイスは、一連の圧縮可能なメッシュキャリッジを一意的に含む。一連の圧縮可能なメッシュキャリッジは、各端部に、キャリッジを画定する別個の挟持点を有し、動脈瘤内部に、血流阻止、血栓形成及び／又は細胞成長のための枠組みのための連続的な３次元メッシュ網を提供する。このような植え込み型閉塞デバイスはまた、血管閉塞の処置及び／又は末梢血管塞栓術のために使用される。
【００２４】
本明細書中に開示されるのは、体腔又は動脈瘤内に植え込むための閉塞デバイスである。閉塞デバイスは、端部と端部とを繋げて構成された軸方向メッシュキャリッジを含む連続的な圧縮可能なメッシュ構造体を含み、各キャリッジの各端部は、連続的なメッシュ構造体の挟持点である。
【００２５】
一実施形態では、マーカーが連続的なメッシュ構造体の少なくとも１つの挟持点を囲み覆っている。更なる実施形態では、マーカーは放射線不透過性である。
【００２６】
別の実施形態では、連続的なメッシュ構造体の少なくとも１つのメッシュキャリッジは、１つの内部同軸メッシュキャリッジ又は複数の内部同軸メッシュキャリッジを含む。更なる実施形態では、１つの内部同軸メッシュキャリッジ又は複数のキャリッジは、その外部メッシュキャリッジとは異なる材料である。更なる実施形態では、複数の内部同軸メッシュキャリッジは、２つ又は３つの内部同軸メッシュキャリッジである。別の更なる実施形態では、１つの内部同軸メッシュキャリッジ又は複数のキャリッジは、その外部メッシュキャリッジとは異なるメッシュ密度である。
【００２７】
別の実施形態では、連続的なメッシュ構造体は留置形状に拡張し、体腔又は動脈瘤を充填する。
【００２８】
別の実施形態では、軸方向メッシュキャリッジの数（ｎ）は、２、３、４又は５つの軸方向メッシュキャリッジである。
【００２９】
また、本明細書中に開示されるのは、体腔又は動脈瘤の処置及び／又は改善用のキットである。キットは、端部と端部とを繋げて構成された軸方向メッシュキャリッジを含む連続的な圧縮可能なメッシュ構造体を含む、体腔又は動脈瘤内に植え込むための閉塞デバイスであって、各キャリッジの各端部は、連続的なメッシュ構造体の挟持点である、閉塞デバイスと、閉塞デバイスに対応する送出システム又は離脱システムと、を含む。一実施形態では、キットの送出システムは、マイクロカテーテル、カテーテル、ガイドワイヤ、又はプッシャワイヤである。別の実施形態では、キットの離脱システムは電解離脱システムである。
【００３０】
また、本明細書中に開示されるのは、患者の体腔又は動脈瘤を処置する又は改善するための方法である。この方法は、端部と端部とを繋げて構成された軸方向メッシュキャリッ
ジを含む連続的な圧縮可能なメッシュ構造体を含み、各キャリッジの各端部は、連続的なメッシュ構造体の挟持点である閉塞デバイスを体腔又は動脈瘤に送出することと、動脈瘤内に閉塞デバイスを留置し、それにより患者の動脈瘤を処置する又は改善することと、を含む。
【００３１】
別の実施形態では、本明細書中に開示されるのは、体腔又は動脈瘤内に植え込むための閉塞デバイスである。この閉塞デバイスは、軸方向メッシュキャリッジを含む圧縮可能な連続的なメッシュ構造体を含み、キャリッジの各端部は、連続的なメッシュ構造体の挟持点であり、キャリッジは内部同軸メッシュキャリッジを含む。
【００３２】
本明細書中に更に開示されるのは、本明細書中に開示される閉塞デバイスを製造及び／又は送出及び／又は留置するための方法である。
【００３３】
他の実施形態では、前述の段落の閉塞デバイスは、前に又は後に開示される実施形態のいずれを組み込んでもよい。
【００３４】
発明の概要は、特許請求の範囲を定義することを意図するものでも本発明の範囲をいかようにも限定することを意図するものでもない。
【００３５】
本発明の他の特徴及び利点は以下の図面、詳細な説明、及び特許請求の範囲から明らかとなろう。
【図面の簡単な説明】
【００３６】
【図１Ａ】本明細書中に開示される閉塞デバイスの一実施形態の斜視図を示す。図１Ａは、本明細書中に開示される閉塞デバイスのメッシュキャリッジ実施形態を示す。
【図１Ｂ】本明細書中に開示される閉塞デバイスの一実施形態の斜視図を示す。図１Ｂは、本明細書中に開示される閉塞デバイスの一連のメッシュキャリッジを示す。
【図２】本明細書中に開示される閉塞デバイスの一連の可変メッシュキャリッジの一実施形態の斜視図を示す。
【図３】一連のメッシュキャリッジを有する本明細書中に開示される閉塞デバイスの送出及び／又は留置の一実施形態の斜視図を示す。
【図４】動脈瘤内に留置された一連のメッシュキャリッジを有する本明細書中に開示される閉塞デバイスの一実施形態の斜視図を示す。
【図５】内部同軸メッシュキャリッジを含むメッシュキャリッジを有する本明細書中に開示される閉塞デバイスの一実施形態の斜視図を示す。
【図６】内部同軸メッシュキャリッジを含むメッシュキャリッジを有する本明細書中に開示される閉塞デバイスの一実施形態の斜視図を示す。
【図７】本明細書中に開示される閉塞デバイスの電解送出及び／又は留置及び／又は離脱の一実施形態の斜視図を示し、メッシュキャリッジ及び内部メッシュキャリッジを有する本明細書中に開示される閉塞デバイスの電解手段を有するカテーテルルーメン及び／又はプッシャワイヤによる送出を示す。
【図８】本明細書中に開示される閉塞デバイスの電解送出及び／又は留置及び／又は離脱の一実施形態の斜視図を示し、デバイスの留置並びに一連のメッシュキャリッジ及び内部同軸メッシュキャリッジを有する本明細書中に開示される閉塞デバイスからのプッシャワイヤの電解離脱を示す。
【図９】一連の２つの可変寸法のメッシュキャリッジを有する本明細書中に開示される閉塞デバイスの一実施形態の斜視図を示す。
【図１０】動脈瘤内に留置された、一連の２つの可変寸法のメッシュキャリッジを有する本明細書中に開示される閉塞デバイスの一実施形態の斜視図を示す。
【発明を実施するための形態】
【００３７】
本明細書中に開示される閉塞デバイスは、同様の要素に同様の参照番号が割り当てられた図面及び明細書に示されている。しかしながら、特定の実施形態が図面に示されているが、本明細書中に開示される閉塞デバイスを、開示される特定の１つの実施形態又は複数の実施形態に限定する意図はない。むしろ、本明細書中に開示される閉塞デバイスは、本発明の範囲及び趣旨内にあるすべての変更形態、代替的構造、及び均等物を包含することを意図している。したがって、図面は、例示であり、限定を意図するものではない。
【００３８】
特に定義されない限り、本明細書中で使用されるすべての技術用語は、本技術が属する技術分野の当業者によって通常理解される意味と同様の意味を有する。
【００３９】
本明細書中に開示される閉塞デバイスの例示的実施形態は図１〜図１０に示される。
【００４０】
本明細書中に開示される閉塞デバイスの目的において、用語「に対応する（ｃｏｒｒｅｓｐｏｎｄｓ  ｔｏ）」は、互いに対応する物体間に機能的及び／又は機械的関係があることを意味する。例えば、閉塞デバイス送出システムは、その留置のための閉塞デバイスに対応する（又は適合する）。
【００４１】
本明細書中に開示される閉塞デバイスの目的において、用語「閉塞デバイス」は、「デバイス」又は「閉塞デバイスシステム」又は「閉塞システム」又は「システム」又は「閉塞デバイスインプラント」又は「インプラント」又は「嚢内インプラント」又は「動脈瘤内インプラント」等などであるが、これらに限定されない用語を意味する及び／又は交換可能であってもよい。
【００４２】
閉塞デバイス送出システムは当技術分野で周知であり、容易に入手可能である。例えば、このような送出技術は、米国特許第４，９９１，６０２号明細書、米国特許第５，０６７，４８９号明細書、米国特許第６，８３３，００３号明細書、米国特許出願公開第２００６／０１６７４９４号明細書及び米国特許出願公開第２００７／０２８８０８３号明細書に記載され得るが、これらに限定されない。これらの教示のそれぞれは本明細書中に援用される。本明細書中に開示される閉塞デバイスの目的では、任意の種類の閉塞デバイス送出手段及び／又は送出システム及び／又は送出技術及び／又は送出機構及び／又は離脱（及び／又は取付）手段及び／又は離脱システム及び／又は離脱技術及び／又は離脱機構を、本明細書中に開示される閉塞デバイスに適合するような手法で（対応するように）用いてもよい及び／又は修正してもよい。例示的な閉塞デバイス送出機構及び／又はシステムとしては、ガイドワイヤ、プッシャワイヤ、カテーテル、マイクロカテーテル等が挙げられるが、これらに限定されない。例示的な閉塞デバイス離脱機構としては、流体圧力、電解機構、油圧機構、インタロック機構等が挙げられるが、これらに限定されない。一実施形態においては、本明細書中に開示される閉塞デバイスは、電解離脱の方法において用いられる。電解離脱は当技術分野において周知であり、例えば、米国特許第５，１２２，１３６号明細書、米国特許第５，４２３，８２９号明細書、米国特許第５，６２４，４４９号明細書、米国特許第５，８９１，１２８号明細書、米国特許第６，１２３，７１４号明細書、米国特許第６，５８９，２３０号明細書及び米国特許第６，６２０，１５２号明細書に記載され得る。
【００４３】
本明細書中に開示される閉塞デバイスは、各キャリッジ２０の各端部に別個の挟持点１０を有する一連の圧縮可能なメッシュキャリッジ２０を含む。この点において、閉塞デバイス設計は１つの連続的な３次元メッシュ網であり、動脈瘤９０又は体腔内に留置されると、血流阻止、血栓形成、細胞成長のための枠組み及び／又は最終的な血行静止を提供する。請求される発明の目的において、「キャリッジ」２０は、各挟持点１０又は各マーカー５０に囲み覆われている挟持点１０間のメッシュの軸方向区分である。「挟持点」１０
は、メッシュの軸方向区分の端部に配置され、この端部を画定する。このような区分化されたメッシュキャリッジ２０及び挟持点１０は、多くの場合、連続的なメッシュ構造体又は網内にある。「挟持点」はメッシュ構造体の、拘束され、まとめられた位置として、離れた場所にある隣接するキャリッジの移動を制限するように機能し、それによってキャリッジを互いに安定させる。これらキャリッジ２０の数（ｎ）は臨床的及び実用的に可能な限り多く、大きな及び／又は不規則な大きさの動脈瘤９０を処置するための、並びに約１５０センチメートル（ｃｍ）のカテーテル７０（又はマイクロカテーテル）を通じて送出するための既知の診断技術に従い臨床医によって予め決定される。各キャリッジ２０の長さ（ｘ）３０は、長さ（ｘ）３０が「遊離ガス」中においてキャリッジ２０を寸法ｙ（幅４０）に拡張させるのに十分である限りは、所与の大きさの動脈瘤９０を閉塞するのに適切と考えられるキャリッジ２０の数（ｎ）に応じて変えることができる。当技術分野で容認されている通り、このような閉塞デバイスの直径は遊離ガス中で測定される。各キャリッジ２０の幅（ｙ）４０は、臨床的に実現可能であるためには、（遊離ガス中において）約２ミリメートル（ｍｍ）〜約５０ｍｍの範囲である。留置されると、キャリッジ２０は、ｙ４０の寸法のキャリッジ２０がｙ４０の約２倍（又は２ｙ）に増大することができるように、直径又は幅（ｙ）４０が約２倍まで増大する又は拡張するような状態で圧縮する。換言すると、各キャリッジ２０はマシュマロのように圧縮して、ｘ３０の減少及びｙ４０の拡大を生じさせる。一実施形態では、遊離ガス中において、各キャリッジ２０はｘ３０がｙ４０より大きい又はｙ４０に等しいような状態に設計され得るが、留置（圧縮）形状においては、ｙ４０はｘ３０よりも大きい。一連の圧縮可能なキャリッジ２０を含むこのような閉塞デバイスは、キャリッジ２０の数（ｎ）並びに各キャリッジ２０の長さ（ｘ）３０及び幅（ｙ）４０を、処置される広範な大きさ及び形状の動脈瘤９０又は体腔に適応するように選択するために、調節可能な状態で構成され得る。したがって、別の実施形態では、遊離ガス中において、各キャリッジ２０はｘ３０がｙ４０以下であるような状態に設計することができ、留置（圧縮）形状においては、ｙ４０はｘ３０よりも大きなままである。
【００４４】
一実施形態では、デバイスは、ニチノール（ＮｉＴｉ）、コバルトクロム（ＣｏＣｒ）合金、ステンレス鋼、タングステンイリジウム合金、又はこれらの組み合わせなどであるがこれらに限定されない容易に入手可能な材料の金属ブレードで作製されている。例えば、メッシュキャリッジ２０は、わずか３６本のブレードから１４４本ものブレードの範囲内の、臨床的に最も適切且つ実用的な編組メッシュで織られている。別の実施形態では、金属ブレード構造の編み目の角度によって最も軟質の圧縮可能メッシュ設計を作成する。例えば、メッシュは、約０．００７５インチ〜約０．００５インチの直径のワイヤで編み込まれる。したがって、本明細書中に開示される閉塞デバイスは、一連の超軟質の軸方向に圧縮可能なメッシュキャリッジ２０であり、ｎは、単一の閉塞デバイス内のメッシュキャリッジ２０の数である。「ｎ」キャリッジを有するこのような閉塞デバイスを使用する前に、臨床医又は医師は容易に利用可能な診断技術を使用して、処置される動脈瘤又は体腔の大きさ及び形状を特定する。医師又は臨床医は、その後、所与の動脈瘤又は体腔を最適に処置するために使用される所望の数（ｎ）のキャリッジ及びキャリッジの種々の大きさを有する閉塞デバイスを最適に選択することができる。
【００４５】
図１Ａは、単一のメッシュキャリッジ２０の例示的実施形態を示し、単一のメッシュキャリッジ２０はその遊離ガス中における幅（ｙ）４０よりも大きな軸方向長さ（ｘ）３０を有し、キャリッジ２０の各端部は挟持点１０である。別の実施形態では、軸方向キャリッジ２０はその遊離ガス中における幅（ｙ）４０に等しい軸方向長さ（ｘ）３０を有し得る。更に別の実施形態では、軸方向キャリッジ２０はその遊離ガス中における幅（ｙ）４０よりも短い軸方向長さ（ｘ）３０を有し得る。図１Ｂは、連続的な圧縮可能なメッシュ構造体である一連の軸方向メッシュ区分化キャリッジ２０の一実施形態を示し、ｎ＝３の軸方向メッシュキャリッジ２０であり、各挟持点１０はマーカー５０によって囲み覆われ
ている。「マーカー」は周知であり、医療デバイス技術において容易に利用可能である。いくつかの実施形態では、マーカーは、金属材料、多くの場合、放射線不透過性材料からなり、閉塞デバイスの挟持点を囲み覆うためにバンド形マーカー、リング形マーカー、チューブ形等などの形状を取る。あるいは、マーカーは、所与の挟持点に巻回され、そのため、所与の挟持点を覆い囲んでいるワイヤストランドからなってもよい。一実施形態では、各挟持点１０を囲み覆うマーカー５０は、デバイスがカテーテル７０（又はマイクロカテーテル）内のどこにあるか、及びデバイスが動脈瘤９０又は体腔内に留置後どこにあるかに関し、Ｘ線下での位置的基準を提供する。図２は、連続的な圧縮可能なメッシュ構造体である一連の可変寸法の（寸法及び／又は直径が異なる）区分化軸方向メッシュキャリッジ２０の例示的実施形態を示し、ｎ＝３の軸方向メッシュキャリッジ２０であり、各キャリッジ２０は、ｘ３０及びｙ４０の寸法に関して異なり、各挟持点１０はマーカー５０によって囲み覆われている。図２に示すこのような構成では、動脈瘤９０に入る第１のキャリッジ２０（右側）は、処置される動脈瘤９０の最大測定直径よりもわずかに大きな直径又は幅（ｙ）４０を有し、デバイスの連続的なメッシュ構造体が動脈瘤９０の壁の最も薄く且つ最も敏感な領域であることが多い動脈瘤９０のドームに接触しないようにする。加えて、図２に示すこの構成では、動脈瘤９０に入る最後のキャリッジ２０（左側）の直径又は幅（ｙ）４０は動脈瘤頚部１００よりも大きく、この最後のキャリッジ２０を動脈瘤９０内部にしっかりと固定された（及び留められた）ままにする。
【００４６】
図３は、デバイスの拘束されたメッシュキャリッジ２０がカテーテル７０ルーメン内に装填された状態の、本明細書中に開示される閉塞デバイスの一実施形態を示す。デバイスは電解離脱領域８０を有する電解プッシャワイヤ６０によって進められ、留置されると、キャリッジ２０はカテーテル７０の先端を出る際に拡張し、動脈瘤９０又は体腔の容積を占める。次の軸方向キャリッジ２０が動脈瘤９０内に留置されると、軸方向キャリッジ２０は互いに圧縮し、動脈瘤９０を充填することで、動脈瘤９０又は体腔内部に一連の層及び／又は区画を形成して血流を阻害し、最終的には血行静止をもたらす。
【００４７】
図４は、処置される動脈瘤９０内に留置された、本明細書中に開示される閉塞デバイスの一実施形態を示す。圧縮可能なメッシュキャリッジ２０は、動脈瘤９０嚢内部に複数の区画化層を形成する。この留置形状において、軸方向キャリッジ２０は、動脈瘤９０又は体腔を、層若しくは区画として充填し、それによって、留置後の軸方向長さ（ｘ）３０を、その遊離ガス中における軸方向長さ３０の比率に対して変化させる。例えば、留置後の軸方向長さ（ｘ）３０は、遊離ガス中における軸方向長さ３０の約５％〜約５０％である。
【００４８】
図９及び図１０は、本明細書中に開示される閉塞デバイスの実施形態を示す。このような実施形態では、遠位キャリッジ２０（図９及び図１０の上部キャリッジ２０）は動脈瘤９０内へと拡張して、可変寸法のより小さな次のキャリッジ２０が押すための安定構造を形成し、これにより、デバイスが動脈瘤頚部１００を横断して（又は動脈瘤頚部１００内に）配置される際にデバイスを安定させる。このような構成及び一実施形態では、キャリッジ２０の間にある挟持点１０及び／又はマーカー５０に続く遠位キャリッジ２０の砂時計形様の形状１３０はデバイスの全体的な安定性に寄与する。別の実施形態では、遠位キャリッジ２０の砂時計形様の形状１３０は、それ自体の内側に凹むのではなくむしろ、次のキャリッジ２０の方へと外側を向く突起によって画定される。図９及び図１０は、力の分配を矢印によって示す。力（Ｆ）によって、遠位キャリッジ２０に力又は圧力を分配し、これにより、デバイスを動脈瘤９０内の適所に安定的に埋め込み、固定する。図２に示す一連のキャリッジ２０の他の可変構成と同様に、図１０は、動脈瘤９０に入る最後のキャリッジ２０の直径又は幅（ｙ）４０が動脈瘤頚部１００よりも大きく、この最後のキャリッジ２０を動脈瘤９０内部にしっかりと固定した（及び留めた）ままにして血流を阻害し、最終的に血行静止をもたらすことを示す。
【００４９】
理論に拘束されることを望むものではないが、この、軸方向キャリッジ２０の区分に分割されている連続的な圧縮可能なメッシュ構造体の構成は、動物研究において、デバイスの急性血栓形成性の向上に寄与すると考えられる作用機序を引き起こす。また、ワイヤストランドが表面積に大きく寄与する一連のキャリッジ２０層及び区画の間に小体積の凝塊を局所化することで、動脈瘤９０内の血栓の凝集及び安定化を促進すると考えられる。動脈瘤の頚部１００を横断して分配された又はその内部に分配されたメッシュ構造体に血液が圧力をかけることから、この閉塞デバイスのその留置形状における区画化は、留置されたデバイスの効果的な安定又は固定機能である。このような構成は、また、末梢動脈又は静脈閉塞のために、動脈瘤９０壁又は血管壁に対する圧縮可能なデバイスの十分な並置を提供する。本明細書中に開示されるデバイスは、血行静止を急性に与えるほど十分なメッシュ密度を提供し、留置時、ワイヤメッシュ／ブレードの分布は比較的均一なままである。
【００５０】
本明細書中に開示される閉塞デバイスの別の実施形態では、圧縮可能な軸方向メッシュキャリッジ２０は、７２本のＮｉＴｉワイヤメッシュストランドブレード構成又は７２本のＮｉＴｉ及びＣｏＣｒワイヤメッシュストランドブレード構成の組み合わせなどであるが、これらに限定されないワイヤメッシュストランド又はブレードの比較的均一な分布を含む。他の実施形態では、閉塞デバイスは、３６〜１４４本の範囲のＮｉＴｉストランドブレード構成のワイヤメッシュストランド又はブレードを含む。
【００５１】
図５は、１つの同軸内部メッシュキャリッジ１２０を含む単一の圧縮可能な軸方向メッシュキャリッジ２０を示す。図６は、複数の同軸内部メッシュキャリッジ１２０を含む単一の軸方向メッシュキャリッジ２０を示す。このような同軸メッシュ内部１２０又は同軸メッシュ内部１２０は、同軸メッシュ内部キャリッジ１２０のない軸方向メッシュキャリッジ２０よりも大きな血流阻止及び区画化を生じさせ、これにより血行静止及び血栓安定化をもたらす。別の実施形態では、軸方向キャリッジ２０及び１つの同軸キャリッジ１２０（又は複数のキャリッジ）は異種金属メッシュで構成されている。更なる実施形態では、異種金属メッシュは、血栓の発生を更に高めることができるガルバニック効果を生じさせる。別の更なる実施形態では、異種金属メッシュは、他のキャリッジ２０、１２０の金属に対し放射線不透過性特性を有することでデバイスの可視化を向上する、１つのキャリッジ２０内の１つの金属を含み得る。このような実施形態では、ブレードメッシュ密度は軸方向外部キャリッジ２０と同軸内部キャリッジ１２０とで同じであっても異なっていてもよく、内部メッシュのワイヤと外部メッシュのワイヤは異なる数のストランド及びワイヤ径を有することができる。このような１つの同軸キャリッジ又は複数の同軸キャリッジ１２０は外部軸方向キャリッジ２０に比べて寸法が様々である。例えば、一実施形態では、１つの同軸キャリッジ又は複数のキャリッジ１２０は、１つの同軸キャリッジ又は複数の同軸キャリッジ１２０を中に含む外部軸方向キャリッジ２０の寸法の約５％〜約９５％の範囲であり得る。図７は、カテーテル７０ルーメン内に装填された軸方向キャリッジ２０及び同軸キャリッジ１２０を示し、図８は、電解離脱式プッシャワイヤ６０による電解デバイス留置及びカテーテル７０の先端を出るキャリッジ２０、１２０（外部及び内部）の拡張を示す。
【００５２】
一実施形態では、リングなどのマーカー５０が、連続的なメッシュ構造体の各キャリッジ２０、１２０の各端部を画定する挟持点１０を囲み覆っている。したがって、本明細書中に開示される閉塞デバイスのマーカー５０は、金、白金、ステンレス鋼及び／又はこれらの組み合わせなどであるが、これらに限定されない材料を含む中実リング又はバンドなどであるが、これに限定されない実質的に中実のカラー又は剛性部材である。別の実施形態では、金、白金、白金／イリジウム合金及び／又はこれらの組み合わせなどであるが、これらに限定されない放射線不透過性材料が使用され得る。このようなマーカー５０は、
送出及び配置時におけるデバイスの位置の可視化を提供する。マーカー５０は、各キャリッジ２０、１２０の各端部にある挟持点１０を覆い囲むように閉塞デバイス上に配置されている。このように、近位キャリッジ２０、１２０の近位端にあるマーカー５０は、動脈瘤９０の頚部１００の上方又は内部に載置することが可能である。マーカー５０の中実性によって、動脈瘤９０内におけるデバイスの安定性を付与し、圧縮可能なメッシュキャリッジ２０、１２０を介した力の移動又は伝達を防止することで、デバイスの誤配置又は偶発的な移動を防ぐ。マーカー５０はまた、送出カテーテル７０又はガイドワイヤ６０及び／若しくはプッシャワイヤ技術などであるが、これらに限定されない対応する送出手段と連係し、送出手段から解放する／送出手段に取り付けるための接合部を備えて構成されている。マーカー５０はまた、有利には、本明細書中に開示されるデバイスの完全回収可能性を提供する。
【００５３】
別の実施形態では、実質的に中実のマーカー５０は、放射線不透過性材料（例えば、白金、金、白金／イリジウム合金及び／又はこれらの組み合わせなどであるがこれらに限定されない）を含み、送出、配置及び／又は留置時における蛍光透視下での閉塞デバイスの可視化を容易にする。マーカー５０は近位端及び遠位端を含む。本明細書中に開示される閉塞デバイスは、留置中に拡張する際、圧縮可能なキャリッジ２０、１２０の形状、直径及び／又は湾曲に影響するようマーカーの使用を組み込むように構成してもよい。加えて、マーカー５０は、動脈瘤９０嚢内で拡張／留置された閉塞デバイスの適切な適合を確実にするための一連のメッシュキャリッジ２０、１２０を有する、閉塞デバイスの全体的な外形に影響するような種々の形状で設計してもよい。
【００５４】
図３、図７及び図８は、本明細書中に開示される閉塞デバイスを、動脈瘤９０又は体腔に隣接する動脈及び／又は血管１１０を通じて、電解送出及び／又は留置及び／又は離脱するための例示的な手段を示す。米国特許第５，１２２，１３６号明細書などの電解離脱手段及び方法が当技術分野では周知である。一実施形態では、カテーテル７０（又はマイクロカテーテル）のコイルが巻かれたコアワイヤ６０（又はガイドワイヤ又はプッシャワイヤ）の最遠位端がマーカー５０内部で本明細書中に開示される閉塞デバイス（図３、図７及び図８に示すような）に取り付けられている。コイルの巻きは、送出カテーテル７０又はマイクロカテーテル又はガイドワイヤ６０の可撓性又は剛性に影響しないように一定直径（φ）を維持する。ある実施形態では、ＦＥＰ（フッ化エチレンプロピレン）熱収縮チューブが、コアワイヤのコイルが巻かれた部分を覆っている。医療デバイス技術における多くの容易に利用可能且つ周知の取付技術を使用して、コアワイヤの遠位端をマーカー内部に、及び閉塞デバイス又はインプラントに取り付けることができる。このような取付技術としては、接着剤、レーザー溶融、レーザー粘着、スポット溶接及び／又は連続溶接が挙げられるが、これらに限定されない。一実施形態では、コアワイヤの遠位端をマーカー内部に取り付けるために接着剤が使用される。更なる実施形態では、接着剤は、熱又はＵＶ（紫外線）放射の適用によってキュア又は硬化されるエポキシ材料である。更に別の実施形態では、エポキシは、１４  Ｆｏｒｔｕｎｅ  Ｄｒｉｖｅ，Ｂｉｌｌｅｒｉｃａ，Ｍａｓｓ．所在のＥｐｏｘｙ  Ｔｅｃｈｎｏｌｏｇｙ，Ｉｎｃ．から入手可能なＥＰＯ−ＴＥＫ（登録商標）３５３ＮＤ−４などの熱硬化型２液エポキシである。このような接着剤又はエポキシ材料は、マーカー５０内部のコアワイヤの接合部を被覆し、その機械的安定度を高める。
【００５５】
別の実施形態では、デバイスの留置中及び／又は留置後、コイルが巻かれたコアワイヤ６０は自動的に、本明細書中に開示される閉塞デバイスを、コアワイヤ６０がマーカー５０の基部における電解作用によって切断される及び／又は溶解されるような状態で、コアワイヤ６０の電解離脱位置８０（又は領域）において離脱する。このような作用により、その後、処置される動脈瘤９０又は血管内に閉塞デバイスを解放する及び／又は配置する。
【００５６】
ある実施形態では、本明細書中に開示される閉塞デバイスの圧縮可能なメッシュ構造体には、動脈瘤９０の凝固及び閉鎖を促進するための塞栓材料が充填され得る。
【００５７】
他の実施形態では、本明細書中に開示される閉塞デバイスは、コイリング技術、フレーミングコイル、塞栓物質、付加的なマーカー、ポリマー、吸収ポリマー及び／又はこれらの組み合わせなどの付属的要素及び／又は部材を更に組み込んでもよい。
【００５８】
閉塞デバイスの設計及び／又は製造のための弾性及び圧縮可能なメッシュ材料は容易に入手可能であり、当業者には周知である。したがって、弾性及び圧縮可能なメッシュ材料は、ニッケルチタン（ニチノール又はそうでなければＮｉＴｉとして知られている）、ステンレス鋼、ポリマー、及び／又はこれらの組み合わせなどであるが、これらに限定されない広範な入手可能材料に及ぶ。例示的な既知のバイオメディカルポリマー類としては、ポリホスファゼン、ポリ酸無水物、ポリアセタール、ポリ（オルトエステル）、ポリホスホエステル、ポリカプロラクトン、ポリウレタン、ポリラクチド、ポリカーボネート、ポリアミド及び／又はこれらの組み合わせなどのポリマーが挙げられるが、これらに限定されない。（例えば、Ｊ  Ｐｏｌｙｍ  Ｓｃｉ  Ｂ  Ｐｏｌｙｍ  Ｐｈｙｓ．Ａｕｔｈｏｒ
ｍａｎｕｓｃｒｉｐｔ；ＰＭＣ  ２０１２  Ｊｕｎｅ  １５で入手可能、を参照のこと。）
【００５９】
一例示的実施形態では、弾性及び圧縮可能なメッシュ材料は、ナイロン、ポリプロピレン、又はポリエステルなどであるが、これらに限定されないポリマー材料の織られたストランドで形成されている。ポリマーストランドには放射線不透過性材料を充填することができ、血管系内におけるデバイスの位置を、動脈瘤を処置する医師が透視下で視認することを可能にする。放射線不透過性充填材としては、好ましくは、三酸化ビスマス、タングステン、二酸化チタン若しくは硫酸バリウム、又はヨウ素などの放射線不透過性色素が挙げられる。弾性及び圧縮可能なメッシュ材料は放射線不透過性材料のストランドによって形成され得る。放射線不透過性ストランドは、医師及び／又は放射線専門医が充填ポリマー材料を使用することなくメッシュの位置を透視下で視認することを可能にする。このような放射線不透過性ストランドは、金、白金、白金／イリジウム合金及び／又はこれらの組み合わせなどであるが、これらに限定されない材料で形成されていてもよい。一実施形態では、弾性メッシュ材料は１０％〜４５％白金コアＮｉＴｉで構成されている。別の実施形態では、弾性メッシュ材料は、１０％白金コアＮｉＴｉ、１５％白金コアＮｉＴｉ、２０％白金コアＮｉＴｉ、又は４５％白金コアＮｉＴｉで構成されている。Ｘ線下で閉塞デバイスのゴースト像を提供するには１０％白金コアＮｉＴｉ構造で十分である。
【００６０】
このように構成された、放射線不透過性コアと非放射線不透過性外層又はケーシングとを有するワイヤ又は複合ワイヤの組み合わせは容易に入手可能であり、医療デバイス及び金属技術においては、ＤＦＴ（登録商標）（延伸充填管）ワイヤ、ケーブル、又はリボンとして周知である。ＤＦＴ（登録商標）ワイヤは、２つ以上の材料の所望の物理的及び機械的特性を１つのワイヤに組み合わせるように構成された金属−金属複合材である。より放射線不透過性であるがより延性のある材料をワイヤのコアに配置することにより、ＮｉＴｉ外層は、得られる複合ワイヤに１００％ＮｉＴｉワイヤと類似の機械的特性を付与することができる。ＤＦＴ（登録商標）ワイヤは、Ｆｏｒｔ  Ｗａｙｎｅ，Ｉｎｄ．，Ｕ．Ｓ．Ａ．に所在のＦｏｒｔ  Ｗａｙｎｅ  Ｍｅｔａｌｓ  Ｃｏｒｐ．から入手可能である。例えば、参照により本明細書中に組み込む、Ｓｃｈａｆｆｅｒによる、Ａｄｖａｎｃｅｄ  Ｍａｔｅｒｉａｌｓ  ＆  Ｐｒｏｃｅｓｓｅｓ，Ｏｃｔ  ２００２，ｐａｇｅｓ  ５１−５４のＢｉｏｃｏｍｐａｔｉｂｌｅ  Ｗｉｒｅと題される論文も参照されたい。
【００６１】
圧縮可能なメッシュ構造体が放射線不透過性金属ストランドで形成されている場合、ス
トランドはポリマーコーティング又は押出品で被覆されてもよい。放射線不透過性ワイヤストランドを覆うコーティング又は押出品はＸ線透視可視化を提供するが、曲げ疲労に対するストランドの抵抗も増加させるとともに、ストランドの潤滑性も高めてよい。一実施形態では、ポリマーコーティング又は押出品は、コーティングされている又はへパリンなど抗凝固の傾向がある薬剤で処理されている。このような抗凝塊コーティングは全般に知られている。ポリマーコーティング又は押出品は、任意の適切な押出可能なポリマー、又はＴｅｆｌｏｎ（登録商標）若しくはポリウレタンなどの薄いコーティングで適用することができる任意のポリマーであり得る。
【００６２】
更に別の実施形態では、圧縮可能なメッシュ構造体のストランドは、金属編組ストランド及びポリマー編組ストランドの両方を使用して形成されている。金属ストランドをポリマーストランドと組み合わせてブレードにすることでメッシュの可撓性特性が変化する。このようなメッシュ部分を留置する及び／又はつぶすために必要な力は、金属メッシュストランドのみを含むメッシュ部分に必要な力に比べて大幅に低下する。しかしながら、Ｘ線透視可視化のためのメッシュの放射線不透過性特性は維持される。このようなデバイスを形成する金属ストランドとしては、ステンレス鋼、金、白金、白金／イリジウム、ニチノール及び／又はこれらの組み合わせが挙げられるが、これらに限定されない。デバイスを形成するポリマーストランドとしては、ナイロン、ポリプロピレン、ポリエステル、Ｔｅｆｌｏｎ（登録商標）及び／又はこれらの組み合わせが挙げられ得る。更に、メッシュ材料のポリマーストランドはこれを放射線不透過性にするために、ポリマーストランドへの金蒸着の使用、又はポリマーストランドへの適切な金属イオンのイオンビームプラズマ蒸着の使用などであるが、これらに限定されない周知の技術によって化学修飾することができる。
【００６３】
圧縮可能なメッシュ構造体は、また、様々な直径及び／又は様々な可撓性のフィラメント又はストランドで形成され得る。例えば、本明細書中に開示される閉塞デバイスで使用するためのワイヤ径は、約０．００７５インチ〜約０．００５インチの範囲である。ポリマーストランドの大きさ又は可撓性を変えることによって、留置時におけるメッシュの可撓性特性も変えることができる。可撓性特性を変えることによって、弾性及び圧縮可能なメッシュ構造体の留置（圧縮）構成及び送出（拘束）構成の両方を実質的にあらゆる所望の形状に変える又は変化させることができる。
【００６４】
メッシュは、ポリマーストランド又はフィラメントと金属ストランド又はフィラメントの両方で形成できるだけでなく、異なるポリマー材料のフィラメントを使用して形成することもできる。例えば、異なる可撓性特性を有する異なるポリマー材料を使用してメッシュを形成することができる。これにより、可撓性特性を変更し、結果として生じる、留置状態及びつぶれた状態の両方におけるメッシュ構造体の構成を変化させる。このようなバイオメディカルポリマーは既知であり、当技術分野において利用可能であり、ポリホスファゼン、ポリ酸無水物、ポリアセタール、ポリ（オルトエステル）、ポリホスホエステル、ポリカプロラクトン、ポリウレタン、ポリラクチド、ポリカーボネート、ポリアミド、及び／又はこれらの組み合わせなどであるが、これらに限定されないポリマー類から得ることができる。
【００６５】
メッシュキャリッジ内での使用に好適な圧縮可能なメッシュ材料は、平坦な織られたシート、編まれたシート、又はレーザー切断されたワイヤメッシュの形態を取ってもよい。概して、材料は、実質的に平行なストランドの２つ以上のセットを含むべきであり、平行なストランドの１つのセットは、平行なストランドの他方のセットに対して４５度〜１３５度のピッチにある。いくつかの実施形態では、メッシュ材料を形成する平行なストランドの２つのセットは互いに実質的に垂直である。メッシュ材料のピッチ及び全体的な構造は閉塞デバイスの性能要求を満たすように最適化してもよい。
【００６６】
本明細書中に開示される閉塞デバイスで使用される金属ファブリックのワイヤストランドは、弾性及び圧縮可能の両方であり、熱処理を施して所望の形状を実質的に設定することができる材料で形成すべきである。この目的に適していると考えられる材料としては、閉塞デバイスの分野ではＥｌｇｉｌｏｙ（登録商標）と呼ばれるコバルト系低熱膨張合金、Ｈａｙｎｅｓ  Ｉｎｔｅｒｎａｔｉｏｎａｌにより商品名Ｈａｓｔｅｌｌｏｙ（登録商標）で市販されているニッケル系高温高強度「超合金」、Ｉｎｔｅｒｎａｔｉｏｎａｌ  Ｎｉｃｋｅｌにより名称Ｉｎｃｏｌｏｙ（登録商標）で販売されているニッケル系熱処理型合金、及びいくつかの異なるグレードのステンレス鋼が挙げられる。ワイヤに好適な材料を選択する上での重要な要素は、所定の熱処理に曝されたときに成形表面（又は以下に記載されるように形状記憶）によって誘発される適切な変形量をワイヤが維持することである。
【００６７】
これら条件を満たす１つの材料クラスはいわゆる形状記憶合金である。このような合金は、温度によって誘発される相変化を有する傾向があり、これにより材料は、特定の転移温度を超えて材料を加熱し材料の相の変化を誘発することにより固定され得る好適な構成を有する。合金が冷却されると、合金は熱処理時の形状を「記憶」し、この同じ及び／又は類似の構成を、このような構成を取らないように拘束されない限りは取る傾向がある。
【００６８】
本明細書中に開示される閉塞デバイスで使用するための１つの特定の形状記憶合金は、ニッケル及びチタンのほぼ化学量論的合金であり、所望の特性を得るために他の微量の他の金属も含んでもよいニチノールである。適切な組成及び取り扱い要件を含むニチノールなどのＮｉＴｉ合金は当技術分野では周知であり、このような合金については本明細書で詳述する必要はない。例えば、米国特許第５，０６７，４８９号明細書及び米国特許第４，９９１，６０２号明細書（これら明細書の教示は参照により本明細書中に組み込まれる）は、ガイドワイヤベースの技術における形状記憶ＮｉＴｉ合金の使用について論じている。このようなＮｉＴｉ合金は好適であるが、この理由は少なくとも一部には、このようなＮｉＴｉ合金が市販されており、このような合金の取り扱いについては他の周知の形状記憶合金よりも知られているからである。ＮｉＴｉ合金はまた、非常に弾性である。事実、ＮｉＴｉ合金は「超弾性」又は「擬弾性」として知られているとされている。この弾性によって、本明細書中に開示される閉塞デバイスがその留置のために、前の拡張構成に戻る。
【００６９】
ワイヤストランドは、選択された材料の標準的なモノフィラメントを含み得る、即ち、標準的なワイヤストックを使用してもよい。いくつかの実施形態では、７２本のワイヤストランド及び／又は７２本のストランドブレード構成が使用される。他の実施形態では、閉塞デバイスは、３６〜１４４本の範囲のＮｉＴｉストランドブレード構成のワイヤメッシュストランド又はブレードを含む。しかし所望であれば、個々のワイヤストランドを、複数の個々のワイヤで構成された「ケーブル」から形成してもよい。例えば、中心ワイヤの周りにいくつかのワイヤが螺旋状に巻かれた金属ワイヤで形成されたケーブルは市販されており、０．００３インチ以下の外径を有するＮｉＴｉケーブルは購入することができる。あるケーブルの利点の１つは、同一直径を有し同一材料で形成されたモノフィラメントワイヤよりも「軟質」傾向にあることである。加えて、ケーブルの使用によってワイヤストランドの有効表面積を増すことができ、血栓形成を促進する傾向がある。
【００７０】
本明細書中に開示される閉塞デバイスは、一連の圧縮可能な軸方向キャリッジ２０（挟持点１０によって画定される）を有する連続的なメッシュ構造体によって構成されており、一連の圧縮可能な軸方向キャリッジ２０は、血管又は体腔又は動脈瘤９０を充填することで血流を約６０％低減して、凝塊形成及び／又は動脈瘤９０の治癒及び／又は最終的な血行静止を生じさせる、内皮細胞足場層又は区画のような状態で機能するのに十分なメッ
シュ密度を有する。本明細書中に開示される閉塞デバイスの目的において、用語「メッシュ密度」は、有孔率のレベル又はメッシュ構造体の開口面積に対する金属の比率を意味する。メッシュ密度は、メッシュの開口又は孔の数及び大きさ、並びに開口又は孔の開口状態が送出と留置との間で変化する状況において孔が開放又は閉鎖している程度に関係する。概して、弾性メッシュ材料の高メッシュ密度領域は概ね約４０％以上の金属面積及び約６０％以下の開口面積を有する。
【００７１】
いくつかの実施形態では、圧縮可能なメッシュ構造体は、同一材料で均一に形成されていてもよい。しかしながら、このような材料は、異なる編まれた、縫われた、編組された及び／又は切断された構造を有してもよい。
【００７２】
他の実施形態では、本明細書中に開示される植え込み型閉塞デバイスは、例えば、末梢動脈又は静脈の病状及び／又は処置のために血管閉塞を必要とする任意の関連の病状の処置及び／又は改善における末梢血管塞栓術のプロセス（当技術分野で周知のプロセスであり、特定血管部位の遠位側における血流停止を伴うことが知られている）に使用され得る。
【００７３】
本明細書中に開示される閉塞デバイスは、閉塞デバイスの分野における当業者には自明の合理的な設計パラメータ、特徴、変更形態、利点及び変形形態を組み込んでもよい。
【実施例】
【００７４】
本明細書中に開示される閉塞デバイスに関する研究実施計画書及び動物使用の正当性は、ＩＳＩＳ  ＳｅｒｖｉｃｅｓのＩｎｓｔｉｔｕｔｉｏｎａｌ  Ａｎｉｍａｌ  Ｃａｒｅ
ａｎｄ  Ｕｓｅ  Ｃｏｍｍｉｔｔｅｅ（ＩＡＣＵＣ）によって検討及び承認され、手順は獣医の監督下で実施した。
【００７５】
ウサギエラスターゼ動脈瘤モデルは、新規な神経インターベンションデバイスの試験において広く受け入れられているとともに、当技術分野で承認されているモデルであり、有効性及びヒトの反応に類似することに関して多くの臨床出版物の対象となってきた。（例えば、Ａｌｔｅｓ  ｅｔ  ａｌ．Ｃｒｅａｔｉｏｎ  ｏｆ  Ｓａｃｃｕｌａｒ  Ａｎｅｕｒｙｓｍｓ  ｉｎ  ｔｈｅ  Ｒａｂｂｉｔ：Ａ  Ｍｏｄｅｌ  Ｓｕｉｔａｂｌｅ  ｆｏｒ
Ｔｅｓｔｉｎｇ  Ｅｎｄｏｖａｓｃｕｌａｒ  Ｄｅｖｉｃｅｓ．ＡＪＲ  ２０００；１７４：３４９−３５４を参照のこと。）したがって、このモデルは適切な試験モデルとして規制機関により即座に承認される。このモデルの凝固系はヒトの凝固系と酷似している。加えて、このモデルは、ウサギの頭蓋外頚動脈の直径がヒトの頭蓋外頚動脈の直径と酷似しているという点で有利な解剖学的側面を有する。更に、エラスターゼ誘起動脈瘤はヒトの動脈瘤と組織学的に類似するように挙動することが示されている。
【００７６】
本発明のいくつかの実施形態を記載してきた。本明細書に開示される閉塞デバイスの範囲及び趣旨から逸脱することなく、請求される装置の合理的な特徴、修正形態、利点及び設計の変形形態が、当業者には、先行する詳細な説明及び実施形態に説明したガイドラインに従うことによって容易に明らかとなろう。したがって、他の実施形態は以下の特許請求の範囲の範囲内である。
【図１Ａ】
2018538064.tif 000003
【図１Ｂ】
2018538064.tif 000004
【図２】
2018538064.tif 000005
【図３】
2018538064.tif 000006
【図４】
2018538064.tif 000007
【図５】
2018538064.tif 000008
【図６】
2018538064.tif 000009
【図７】
2018538064.tif 000010
【図８】
2018538064.tif 000011
【図９】
2018538064.tif 000012
【図１０】
2018538064.tif 000013
【国際調査報告】
2018538064.tif 000014
2018538064.tif 000015
2018538064.tif 000016
2018538064.tif 000017
2018538064.tif 000018
2018538064.tif 000019
2018538064.tif 000020